(57)【特許請求の範囲】
【請求項１】
微生物を含む処理剤により生ゴミを分解処理するように構成された生ゴミ処理装置であって、上記処理剤を収容する処理容器と、この処理容器内に投入された生ゴミを上記処理剤と共に攪拌する攪拌部材と、を備えてなる生ゴミ処理装置において、
上記処理容器が、略鉛直方向に延びる有底円筒形に形成されており、
上記攪拌部材が、上記処理容器の底面部中央から上方へ延びる回転軸と、この回転軸から上記処理容器の周面部近傍まで平面視において略扇形に広がるように延びる攪拌翼とからなり、
上記攪拌翼が、該攪拌翼の周方向上流端縁を上記底面部に近接させるようにして該周方向上流端縁から該攪拌翼の周方向下流端縁へ向けて斜め上方へ延びるように形成されており、
上記攪拌翼の周方向傾斜角度が、該攪拌翼の周方向上流端縁から周方向下流端縁へ向けて徐々に大きくなるように設定されており、
上記攪拌翼が、平面視において上記底面部の１／４以上の面積を覆うように形成されている、ことを特徴とする生ゴミ処理装置。
【請求項２】
上記攪拌部材の回転速度が、１０ｒｐｍ以下に設定されている、ことを特徴とする請求項１記載の生ゴミ処理装置。
【請求項３】
上記攪拌翼の周方向上流端縁における周方向傾斜角度が、１０〜３０°に設定されている、ことを特徴とする請求項１または２記載の生ゴミ処理装置。
【請求項４】
上記攪拌翼の周方向下流端縁の高さが、該周方向下流端縁の内周端から外周端へ向けて徐々に高くなるように設定されている、ことを特徴とする請求項１〜３いずれか記載の生ゴミ処理装置。
【請求項５】
上記攪拌翼の周方向下流端縁における外周端部に、周方向下流側へ向けて該周方向下流端縁の周方向傾斜角度よりも小さい周方向傾斜角度で延びる突起片が形成されている、ことを特徴とする請求項１〜４いずれか記載の生ゴミ処理装置。
【請求項６】
上記処理容器の周面部に、該処理容器の中心へ向けて延びるとともに上記攪拌翼の周方向下流端縁の上方近傍の高さまで下方へ向けて略Ｌ字形に延びるアーム部材が取り付けられている、ことを特徴とする請求項１〜５いずれか記載の生ゴミ処理装置。
【発明の詳細な説明】
【０００１】
【発明の属する技術分野】
本願発明は、微生物を含む処理剤により生ゴミを分解処理するように構成された生ゴミ処理装置に関するものである。
【０００２】
【従来の技術】
従来より、生ゴミ処理装置の一形式として、いわゆるバイオ式の生ゴミ処理装置が知られている。
【０００３】
このバイオ式の生ゴミ処理装置は、例えば特開平１１−１９６２０号公報に開示されているように、予め処理容器内に微生物を含む処理剤を収容しておき、この処理容器内に生ゴミを投入し、この生ゴミを攪拌部材により処理剤と共に攪拌することにより生ゴミを分解処理するようになっている。
【０００４】
【発明が解決しようとする課題】
しかしながら、上記従来の生ゴミ処理装置においては、その攪拌部材が水平方向に延びる回転軸に攪拌翼が支持された構成となっているので、処理容器内の処理剤および生ゴミを満遍なく攪拌することができない。このため処理剤に含まれる微生物の活動が不活発となってしまい、生ゴミの分解処理効率が不十分なものとなる。
【０００５】
これに対し、特開平１０−４３７２６号公報に開示されているように、処理容器の底面部中央から上方へ延びる回転軸に攪拌翼を支持せしめるようにすれば、攪拌効率をある程度高めることが可能であるが、同公報に開示されているような単純な攪拌翼を設けただけでは攪拌効率を十分に高めることができない。
【０００６】
本願発明は、このような事情に鑑みてなされたものであって、微生物を含む処理剤により生ゴミを分解処理するように構成された生ゴミ処理装置において、処理剤および生ゴミに対する攪拌効率を十分に高め、生ゴミの分解処理効率向上を図ることができる生ゴミ処理装置を提供することを目的とするものである。
【０００７】
【課題を解決するための手段】
本願発明は、攪拌翼の構成に工夫を施すことにより、上記目的達成を図るようにしたものである。
【０００８】
すなわち、本願発明に係る生ゴミ処理装置は、
微生物を含む処理剤により生ゴミを分解処理するように構成された生ゴミ処理装置であって、上記処理剤を収容する処理容器と、この処理容器内に投入された生ゴミを上記処理剤と共に攪拌する攪拌部材と、を備えてなる生ゴミ処理装置において、
上記処理容器が、略鉛直方向に延びる有底円筒形に形成されており、
上記攪拌部材が、上記処理容器の底面部中央から上方へ延びる回転軸と、この回転軸から上記処理容器の周面部近傍まで平面視において略扇形に広がるように延びる攪拌翼とからなり、
上記攪拌翼が、該攪拌翼の周方向上流端縁を上記底面部に近接させるようにして該周方向上流端縁から該攪拌翼の周方向下流端縁へ向けて斜め上方へ延びるように形成されており、
上記攪拌翼の周方向傾斜角度が、該攪拌翼の周方向上流端縁から周方向下流端縁へ向けて徐々に大きくなるように設定されており、
上記攪拌翼が、平面視において上記底面部の１／４以上の面積を覆うように形成されている、ことを特徴とするものである。
【０００９】
上記「攪拌部材」は、その回転軸と攪拌翼とが一体で構成されたものであってもよいし別体で構成されたものであってもよい。また、この「攪拌部材」の材質についても、特に限定されるものではなく、例えばステンレス鋼や合成樹脂等が採用可能である。
【００１０】
上記「攪拌翼」は、その周方向傾斜角度が周方向上流端縁から周方向下流端縁へ向けて徐々に大きくなるように設定されていれば、連続的に大きくなるように設定されたものであってもよいし、段階的に大きくなるように設定されたものであってもよい。
【００１１】
上記「周方向上流」とは、攪拌部材が回転したときの回転方向前方を意味するものであり、上記「周方向下流」とは、攪拌部材が回転したときの回転方向後方を意味するものである。
【００１２】
【発明の作用効果】
上記構成に示すように、本願発明に係る生ゴミ処理装置は、その攪拌部材が、処理容器の底面部中央から上方へ延びる回転軸と、この回転軸から処理容器の周面部近傍まで平面視において略扇形に広がるように延びる攪拌翼とからなっているが、この攪拌翼は、周方向上流端縁を処理容器の底面部に近接させるようにして周方向上流端縁から周方向下流端縁へ向けて斜め上方へ延びるように形成されており、かつ、その周方向傾斜角度が、周方向上流端縁から周方向下流端縁へ向けて徐々に大きくなるように設定されているので、次のような作用効果を得ることができる。
【００１３】
すなわち、攪拌翼は回転軸から処理容器の周面部近傍まで延びているので、攪拌部材が回転すると、処理容器内の下部領域に位置する処理剤および生ゴミは、攪拌翼により略漏れなく掬い上げられ、この攪拌翼を乗り越えることにより攪拌される。
【００１４】
その際、攪拌翼の周方向上流端縁における周方向傾斜角度は相対的に小さいので、処理剤および生ゴミに大きな抵抗を与えることなくこれらをスムーズに掬い上げることが可能となる。そしてこれにより、処理剤および生ゴミが攪拌翼に押されて攪拌部材と共に連れ回りしてしまうのを未然に防止することができる。
【００１５】
また、攪拌翼の周方向傾斜角度は周方向上流端縁から周方向下流端縁へ向けて徐々に大きくなるように設定されているので、掬い上げられた処理剤および生ゴミの移動方向を徐々に上向きに変化させて、攪拌翼の周方向下流端縁を乗り越える時点では処理剤および生ゴミを所定高さまで押し上げることが可能となる。そして、処理剤および生ゴミを攪拌翼の周方向下流端縁の高さから処理容器の底面部まで一気に落下させることにより、処理剤および生ゴミを大きく攪拌することができる。そしてこれにより、処理容器内の処理剤および生ゴミを満遍なく攪拌して、処理剤に含まれる微生物の活動を活発化させることができる。
【００１６】
このように本願発明によれば、微生物を含む処理剤により生ゴミを分解処理するように構成された生ゴミ処理装置において、処理剤および生ゴミに対する攪拌効率を十分に高め、生ゴミの分解処理効率向上を図ることができる。
【００１７】
しかも本願発明においては、攪拌翼が平面視において処理容器の底面部の１／４以上の面積を覆うように形成されているので、攪拌翼の周方向長さを十分に確保することが可能となり、これにより該攪拌翼によって掬い上げられた処理剤および生ゴミを、その移動方向が急激に変化しないようにした上で所定高さまで押し上げることが容易に可能となる。
【００１８】
上記構成において、攪拌部材の回転速度は特に限定されるものではないが、これを１０ｒｐｍ以下（より好ましくは６ｒｐｍ以下）の低速に設定すれば、処理剤および生ゴミが攪拌翼に押されて連れ回りしてしまうのを一層効果的に防止することができ、また、処理剤に含まれる微生物が摩耗損傷してしまうおそれを最小限に抑えることができる。
【００１９】
上記構成において、攪拌翼の周方向傾斜角度は、周方向上流端縁から周方向下流端縁へ向けて徐々に大きくなるように設定されていれば、その具体的な値は特に限定されるものではないが、攪拌翼の周方向上流端縁における周方向傾斜角度を１０〜３０°に設定すれば、処理容器内の下部領域に位置する処理剤および生ゴミに大きな抵抗を与えることなくこれらをスムーズに掬い上げることができる一方、これら掬い上げられた処理剤および生ゴミを、その移動方向を急激に変化させないようにした上で所定高さまで押し上げることができる。そしてこれにより、攪拌部材の回転抵抗が過大になってしまうのを未然に防止することができる。
【００２０】
ところで、攪拌翼によって掬い上げられた処理剤および生ゴミは、周方向下流端縁へ向けて移動するとともに、遠心力により処理容器の周面部へ向けて移動する。そこで、攪拌翼の周方向下流端縁の高さを、該周方向下流端縁の内周端から外周端へ向けて徐々に高くなるように設定すれば、周方向下流端縁を乗り越える処理剤および生ゴミの量を該周方向下流端縁の全長にわたって均一化することが可能となるので、処理剤および生ゴミに対する攪拌効率を一層高めることができる。
【００２１】
上記構成において、攪拌翼の周方向下流端縁における外周端部に、周方向下流側へ向けて該周方向下流端縁の周方向傾斜角度よりも小さい周方向傾斜角度で延びる突起片を形成するようにすれば、次のような作用効果を得ることができる。
【００２２】
すなわち、攪拌翼の周方向下流端縁を乗り越える処理剤および生ゴミのうち、その外周端部を乗り越える処理剤および生ゴミは、突起片に沿って移動した後に処理容器の底面部へ落下することとなる。これにより落下タイミングを部分的に遅らせることができるので、攪拌翼の下方に部分的に空洞部を形成することができる。そしてこれにより、処理剤に対して酸素を効率良く供給することができるので、処理剤に含まれる微生物の活動を活発化させることができる。
【００２３】
上記「突起片」の周方向傾斜角度は、攪拌翼の周方向下流端縁の周方向傾斜角度よりも小さい値に設定されていれば、その具体的な値は特に限定されるものではなく、斜め上方、水平方向、斜め下方いずれの方向へ延びるものであってもよい。なお、この「突起片」の径方向傾斜角度については、その値は特に限定されるものではなく、処理容器の大きさや攪拌部材の回転速度等に応じて適宜設定すればよい。
【００２４】
上記構成において、処理容器の周面部に、該処理容器の中心へ向けて延びるとともに攪拌翼の周方向下流端縁の上方近傍の高さまで下方へ向けて略Ｌ字形に延びるアーム部材を取り付けるようにすれば、攪拌翼の周方向下流端縁を乗り越えようとする処理剤および生ゴミを、アーム部材の先端部で内周側と外周側とに分散させることができるので、処理剤および生ゴミに対する攪拌効率をより一層高めることができる。
【００２５】
【発明の実施の形態】
以下、本願発明の実施形態について説明する。
【００２６】
図１は、本願発明の一実施形態に係る生ゴミ処理装置を示す側断面図である。また、図２は、図１の要部詳細図であり、図３は、図２のＩＩＩ  方向矢視図である。
【００２７】
これらの図に示すように、本実施形態に係る生ゴミ処理装置１０は、比較的小型の家庭用生ゴミ処理装置であって、ケーシング１２内に生ゴミを分解処理する処理装置本体１４が設けられてなっている。
【００２８】
ケーシング１２は、ケーシング本体１２Ａと、このケーシング本体１２Ａに、その背面上端部においてヒンジ１２ａを介して開閉可能に取り付けられたカバー１２Ｂとからなっている。
【００２９】
処理装置本体１４は、微生物を含む処理剤（菌床）２が収容される処理容器１６と、この処理容器１６内に投入された生ゴミを処理剤２と共に攪拌する攪拌部材１８とを備えてなっている。
【００３０】
処理容器１６は、鉛直方向に延びる有底円筒形に形成されており、その底面部１６ａは、その周面部１６ｂへ向けて僅かに斜め下方へ傾斜するように形成されている。この処理容器１６は、内径が２５０〜３５０ｍｍ（例えば３００ｍｍ）、高さが２５０〜３５０ｍｍ（例えば３００ｍｍ）に設定されている。
【００３１】
攪拌部材１８は、合成樹脂製であって、図４に単品でも示すように、処理容器１６の底面部１６ａの中央から上方へ延びる回転軸２０と、この回転軸２０から処理容器１６の周面部１６ｂの近傍まで平面視において略扇形に広がるように延びる攪拌翼２２とからなり、図示矢印方向（時計回り方向）に回転するように構成されている。
【００３２】
攪拌翼２２は、その周方向上流端縁２２ａが底面部１６ａに近接するようにして径方向に水平に延びており、そして、この周方向上流端縁２２ａから周方向下流端縁２２ｂへ向けて斜め上方へ延びるように形成されている。この攪拌翼２２の周方向上流端縁２２ａにおける周方向傾斜角度θは、θ＝１０〜３０°の範囲内における略一定の角度（例えば約２０°）に設定されている。そして、この攪拌翼２２の周方向傾斜角度は、その周方向上流端縁２２ａから周方向下流端縁２２ｂへ向けて３段階で徐々に大きくなるように設定されている。
【００３３】
すなわち、攪拌翼２２は、上流緩斜面部２２Ａと、中流中斜面部２２Ｂと、下流急斜面部２２Ｃとが折れ線状に連続するように形成されている。これら上流緩斜面部２２Ａ、中流中斜面部２２Ｂおよび下流急斜面部２２Ｃの周方向傾斜角度は、その径方向の位置によって多少異なったものとなるが、上流緩斜面部２２Ａの周方向傾斜角度は、周方向上流端縁２２ａにおける周方向傾斜角度θと略同じ値、すなわち、１０〜３０°の範囲内における略一定の角度（例えば約２０°）に設定されており、下流急斜面部２２Ｃの周方向傾斜角度は、４５〜７５°の範囲内における略一定の角度（例えば約６０°）に設定されており、中流中斜面部２２Ｂの周方向傾斜角度は、２０〜６０°の範囲内において上流緩斜面部２２Ａと下流急斜面部２２Ｃとを接続するのに適した角度に設定されている。
【００３４】
攪拌翼２２の周方向下流端縁２２ｂの高さは、その内周端から外周端へ向けて徐々に高くなるように設定されている。具体的には、周方向下流端縁２２ｂは、その内周端から外周端へ向けて、１０〜３０°（例えば約２０°）の上向き傾斜角度で形成されており、その内周端の高さは約８０ｍｍ、外周端の高さは約１２０ｍｍに設定されている。
【００３５】
攪拌翼２２の周方向下流端縁２２ｂにおける外周端部には、処理容器１６の周面部１６ｂに沿って周方向下流側へ向けて略水平に延びる突起片２２Ｄが一体的に形成されている。この突起片２２Ｄは、径方向に２０〜４０ｍｍの幅、周方向に３０〜５０ｍｍの長さを有している。そして、この突起片２２Ｄは、径方向に関しては、周方向下流端縁２２ｂとは逆に、その内周端から外周端へ向けて徐々に低くなるように設定されている。なお、周方向下流端縁２２ｂにおいて高さ約１２０ｍｍに設定されている外周端の位置は、突起片２２Ｄの内周端の位置である。
【００３６】
攪拌翼２２は、平面視において処理容器１６の底面部１６ａの１／４以上の面積を覆うように形成されている。その際、平面視において、上流緩斜面部２２Ａおよび中流中斜面部２２Ｂは略扇形に形成されているが、下流急斜面部２２Ｃは細長矩形状に形成されている。
【００３７】
回転軸２０は、攪拌翼２２を支持する下部大径部２０ａと、この下部大径部２０ａの上端面から円錐状に延びる上部円錐部２０ｂとからなり、その上部円錐部２０ｂには、周方向に９０°間隔で上下方向に延びる４本のリブ２０ｃが形成されている。そして、この回転軸２０は、処理容器１６の底面部１６ａの中央から上方へ突出する駆動シャフト２４に、該回転軸２０の上端部において取付ノブ２６を介してネジ締め固定されている。
【００３８】
処理容器１６の周面部１６ｂには、該処理容器１６の中心へ向けて延びるとともに攪拌翼２２の周方向下流端縁２２ｂの上方近傍の高さ（例えば、周方向下流端縁２２ｂから１０〜２０ｍｍ上方の位置）まで下方へ向けて略Ｌ字形に延びる板状のアーム部材２８が取り付けられている。このアーム部材２８の基端部２８ａは下方へ折れ曲げられており、この基端部２８ａにおいて、処理容器１６の周面部１６ｂに形成されたアーム係止部１６ｃに係止されるようになっている。また、このアーム部材２８の先端部２８ｂは、その回転方向下流側（反時計回り方向）の端面が楔状に形成されている。
【００３９】
図１に示すように、駆動シャフト２４は、駆動ユニット３０の一部を構成しており、モータ（図示せず）の駆動により減速機構（図示せず）を介して低速で回転するようになっている。そしてこれにより、攪拌部材１８を１０ｒｐｍ以下の低速（例えば５ｒｐｍ）で一方向に連続回転させるようになっている。上記モータの駆動は、カバー１２Ｂに設けられたコントロールユニット３２により制御されるようになっている。
【００４０】
なお、本実施形態に係る生ゴミ処理装置１０においては、その処理容器１６の外面に沿ってヒータ３４が装着されている。このヒータ３４は、処理容器１６内の温度を検出する温度センサ（図示せず）の検出値に基づいて、コントロールユニット３２により運転制御されるようになっており、これにより、処理容器１６内の処理剤２の温度を最適温度（すなわち、処理剤２に含まれる微生物の活動に適した温度（例えば３７℃程度））に調節するようになっている。
【００４１】
また、カバー１２Ｂには、その下面における処理容器１６の上方部位から背面まで延びる排気用ダクト３６が設けられている。この排気用ダクト３６の上流端にはフィルタ３８が装着されており、また、その上流端近傍部位には排気ファン４０が設けられており、さらに、その下流部分には脱臭剤カートリッジ４２が設けられている。
【００４２】
以上詳述したように、本実施形態に係る生ゴミ処理装置１０は、その攪拌部材１８が、処理容器１６の底面部１６ａ中央から上方へ延びる回転軸２０と、この回転軸２０から処理容器１６の周面部１６ｂ近傍まで平面視において略扇形に広がるように延びる攪拌翼２２とからなっているが、この攪拌翼２２は、周方向上流端縁２２ａを処理容器１６の底面部１６ａに近接させるようにして周方向上流端縁２２ａから周方向下流端縁２２ｂへ向けて斜め上方へ延びるように形成されており、かつ、その周方向傾斜角度が、周方向上流端縁２２ａから周方向下流端縁２２ｂへ向けて徐々に大きくなるように設定されているので、次のような作用効果を得ることができる。
【００４３】
すなわち、攪拌翼２２は回転軸２０から処理容器１６の周面部１６ｂ近傍まで延びているので、攪拌部材１８が回転すると、処理容器１６内の下部領域に位置する処理剤２および生ゴミは、攪拌翼２２により略漏れなく掬い上げられ、この攪拌翼２２を乗り越えることにより攪拌される。
【００４４】
その際、攪拌翼２２の周方向上流端縁２２ａにおける周方向傾斜角度は相対的に小さいので、処理剤２および生ゴミに大きな抵抗を与えることなくこれらをスムーズに掬い上げることが可能となる。そしてこれにより、処理剤２および生ゴミが攪拌翼２２に押されて攪拌部材１８と共に連れ回りしてしまうのを未然に防止することができる。
【００４５】
また、攪拌翼２２の周方向傾斜角度は周方向上流端縁２２ａから周方向下流端縁２２ｂへ向けて徐々に大きくなるように設定されているので、掬い上げられた処理剤２および生ゴミの移動方向を徐々に上向きに変化させて、攪拌翼２２の周方向下流端縁２２ｂを乗り越える時点では、処理剤２および生ゴミを所定高さまで（本実施形態においては８０〜１２０ｍｍの高さまで）押し上げることが可能となる。そして、処理剤２および生ゴミを攪拌翼２２の周方向下流端縁２２ｂの高さから処理容器１６の底面部１６ａまで一気に落下させることにより、処理剤２および生ゴミを大きく攪拌することができる。そしてこれにより、処理容器１６内の処理剤２および生ゴミを満遍なく攪拌して、処理剤２に含まれる微生物の活動を活発化させることができる。
【００４６】
このように本実施形態によれば、処理剤２および生ゴミに対する攪拌効率を十分に高め、生ゴミの分解処理効率向上を図ることができる。
【００４７】
本実施形態においては、攪拌部材１８の回転速度が１０ｒｐｍ以下の低速に設定されているので、処理剤２および生ゴミが攪拌翼２２に押されて連れ回りしてしまうのを効果的に防止することができ、また、処理剤２に含まれる微生物が摩耗損傷してしまうおそれを最小限に抑えることができる。
【００４８】
特に本実施形態においては、攪拌翼２２の周方向傾斜角度が、その周方向上流端縁２２ａにおいて１０〜３０°に設定されているので、処理容器１６内の下部領域に位置する処理剤２および生ゴミに大きな抵抗を与えることなくこれらをスムーズに掬い上げることができる一方、これら掬い上げられた処理剤２および生ゴミを、その移動方向を急激に変化させないようにした上で所定高さまで押し上げることができる。そしてこれにより、攪拌部材１８の回転抵抗が過大になってしまうのを未然に防止することができる。
【００４９】
また本実施形態においては、攪拌翼２２が平面視において処理容器１６の底面部１６ａの１／４以上の面積を覆うように形成されているので、攪拌翼２２の周方向長さを十分に確保することが可能となる。このため、攪拌翼２２によって掬い上げられた処理剤２および生ゴミを、その移動方向が急激に変化しないようにした上で所定高さまで押し上げることが容易に可能となる。
【００５０】
ところで、攪拌翼２２によって掬い上げられた処理剤２および生ゴミは、周方向下流端縁２２ｂへ向けて移動するとともに、遠心力により処理容器１６の周面部１６ｂへ向けて移動する。その際、本実施形態においては、攪拌翼２２の周方向下流端縁２２ｂの高さが、その内周端から外周端へ向けて徐々に高くなるように設定されているので、周方向下流端縁２２ｂを乗り越える処理剤２および生ゴミの量を該周方向下流端縁２２ｂの全長にわたって均一化することが可能となり、これにより処理剤２および生ゴミに対する攪拌効率を一層高めることができる。
【００５１】
さらに本実施形態においては、攪拌翼２２の周方向下流端縁２２ｂにおける外周端部に、周方向下流側へ向けて略水平に延びる突起片２２Ｄが形成されているので、次のような作用効果を得ることができる。
【００５２】
すなわち、攪拌翼２２の周方向下流端縁２２ｂを乗り越える処理剤２および生ゴミのうち、その外周端部を乗り越える処理剤２および生ゴミは、突起片２２Ｄに沿って移動した後に処理容器１６の底面部１６ａへ落下することとなる。これにより落下タイミングを部分的に遅らせることができるので、図２に示すように、攪拌翼２２の下方に部分的に空洞部Ａを形成することができる。そしてこれにより、処理剤２に対して酸素を効率良く供給することができるので、処理剤２に含まれる微生物の活動を活発化させることができる。
【００５３】
また本実施形態においては、処理容器１６の周面部１６ｂに、該処理容器１６の中心へ向けて延びるとともに攪拌翼２２の周方向下流端縁２２ｂの近傍の高さまで下方へ向けて略Ｌ字形に延びるアーム部材２８が取り付けられているので、攪拌翼２２の周方向下流端縁２２ｂを乗り越えようとする処理剤２および生ゴミを、アーム部材２８の先端部２８ｂで内周側と外周側とに分散させることができ、これにより処理剤２および生ゴミに対する攪拌効率をより一層高めることができる。特に本実施形態においては、このアーム部材２８の先端部２８ｂの回転方向下流側の端面が楔状に形成されているので、生ゴミがたとえブロック状になっている場合においても、これを容易に裁断することができ、これにより攪拌効率をさらに高めることができる。
【００５４】
さらに本実施形態においては、回転軸２０の上部円錐部２０ｂに、周方向に９０°間隔で上下方向に延びる４本のリブ２０ｃが形成されているので、これらリブ２０ｃによっても処理剤２および生ゴミの攪拌を行わせることができる。
【００５５】
なお、本実施形態においては、攪拌翼２２の周方向傾斜角度が、その周方向上流端縁２２ａから周方向下流端縁２２ｂへ向けて３段階で徐々に大きくなるように設定されているものとして説明したが、２段階あるいは４段階以上に段階的に大きくなるように設定することも可能であり、また、周方向傾斜角度が無段階で滑らかに徐変するように設定することも可能である。
【００５６】
また、本実施形態においては、生ゴミ処理装置１０が比較的小型の家庭用生ゴミ処理装置である場合について説明したが、比較的大型の業務用の生ゴミ処理装置の場合にも、本実施形態と同様の構成を採用することにより本実施形態と同様の作用効果を得ることができる。
【図面の簡単な説明】
【図１】本願発明の一実施形態に係る生ゴミ処理装置を示す側断面図
【図２】図１の要部詳細図
【図３】図２のＩＩＩ  方向矢視図
【図４】上記生ゴミ処理装置の攪拌部材を単品で示す斜視図
【符号の説明】
２  処理剤（菌床）
１０  生ゴミ処理装置
１２  ケーシング
１２Ａ  ケーシング本体
１２Ｂ  カバー
１２ａ  ヒンジ
１４  処理装置本体
１６  処理容器
１６ａ  底面部
１６ｂ  周面部
１６ｃ  アーム係止部
１８  攪拌部材
２０  回転軸部材
２０ａ  下部大径部
２０ｂ  上部円錐部
２０ｃ  リブ
２２  攪拌翼
２２Ａ  上流緩斜面部
２２Ｂ  中流中斜面部
２２Ｃ  下流急斜面部
２２Ｄ  突起片
２２ａ  周方向上流端縁
２２ｂ  周方向下流端縁
２４  駆動シャフト
２６  取付ノブ
２８  アーム部材
２８ａ  基端部
２８ｂ  先端部
３０  駆動ユニット
３２  コントロールユニット
３４  ヒータ
３６  排気用ダクト
３８  フィルタ
４０  排気ファン
４２  脱臭剤カートリッジ
Ａ  空洞部
θ  攪拌翼の周方向上流端縁における周方向傾斜角度
【図１】
0003623190.tif 000002
【図２】
0003623190.tif 000003
【図３】
0003623190.tif 000004
【図４】
0003623190.tif 000005